(57)【要約】【課題】３Ｄメガネを用いて立体映像を視聴することのできる立体映像表示装置であって、３Ｄメガネを有さないユーザに対しては見えやすい平面映像を視聴させることが可能な立体映像表示装置及び立体映像表示システムを提供すること。【解決手段】液晶パネル７１から右方向及び左方向に異なる映像を個別に表示するマルチビュー映像表示機能を有しており、該マルチビュー映像表示機能により液晶パネル７１から右方向に向けた左画面Ｍ１に、表示位置が所定量異なる左目映像及び右目映像を交互に表示させると共に、該マルチビュー映像表示機能により液晶パネル７１から左方向に向けた右画面Ｍ２に平面映像を表示させる。【選択図】図５
2011229134.tif 000002
【特許請求の範囲】
【請求項１】
液晶パネルから複数の方向に異なる映像を個別に表示するマルチビュー映像表示手段と、
前記マルチビュー映像表示手段により少なくとも一つの方向に、表示位置が所定量異なる左目映像及び右目映像を交互に表示させる立体映像表示手段と、
前記マルチビュー映像表示手段により少なくとも一つの方向に平面映像を表示させる平面映像表示手段と
を備えてなることを特徴とする立体映像表示装置。
【請求項２】
前記マルチビュー映像表示手段が、前記液晶パネルから二方向に異なる映像を表示するものである請求項１に記載の立体映像表示装置。
【請求項３】
液晶パネルに対する複数の方向夫々に同一又は異なる映像を該液晶パネルに表示するマルチビュー映像表示手段と、
前記マルチビュー映像表示手段が表示する少なくとも一つの方向の映像に対応する左目映像及び右目映像を前記液晶パネルの異なる位置に交互に表示する立体映像表示手段と
を備えてなることを特徴とする立体映像表示装置。
【請求項４】
前記立体映像表示手段は、前記マルチビュー映像表示手段が表示する一の方向の映像に対応する左目映像及び右目映像を所定量離れた位置に交互に表示し、該マルチビュー映像表示手段が表示する他の方向の映像に対応する左目映像及び右目映像を他の所定量離れた位置に交互に表示するものである請求項３に記載の立体映像表示装置。
【請求項５】
液晶パネルから複数の方向に異なる映像を個別に表示するマルチビュー映像表示手段と、
前記マルチビュー映像表示手段により少なくとも一つの方向に、表示位置が所定量異なる左目映像及び右目映像を交互に表示させる立体映像表示手段と、
前記マルチビュー映像表示手段により少なくとも一つの方向に平面映像を表示させる平面映像表示手段と
前記立体映像表示手段による前記左目映像及び前記右目映像の表示に連動して左目及び右目の視界を交互に有効化させる立体表示メガネと
を備えてなることを特徴とする立体映像表示システム。
【請求項６】
液晶パネルに対する複数の方向夫々に同一又は異なる映像を該液晶パネルに表示するマルチビュー映像表示手段と、
前記マルチビュー映像表示手段が表示する少なくとも一つの方向の映像に対応する左目映像及び右目映像を前記液晶パネルの異なる位置に交互に表示する立体映像表示手段と、
前記立体映像表示手段による左目映像及び右目映像の表示に連動して左目及び右目の視界を交互に有効化させる立体表示メガネと
を備えてなることを特徴とする立体映像表示システム。
【請求項７】
前記立体映像表示手段は、前記マルチビュー映像表示手段が表示する一の方向の映像に対応する左目映像及び右目映像を所定量離れた位置に交互に表示し、該マルチビュー映像表示手段が表示する他の方向の映像に対応する左目映像及び右目映像を他の所定量離れた位置に交互に表示するものである請求項６に記載の立体映像表示システム。
【発明の詳細な説明】
【技術分野】
【０００１】
本発明は、表示位置が所定量異なる左目映像及び右目映像を交互に液晶パネルに表示することにより、左目映像及び右目映像の表示に連動して左目及び右目の視界が交互に有効となる３Ｄメガネを用いるユーザに立体映像を見せる立体映像表示装置に関するものである。
【背景技術】
【０００２】
従来から、表示位置が若干ずれた左目映像及び右目映像を交互に液晶パネルに表示することにより、左目映像及び右目映像の表示に連動して左目及び右目の視界が交互に有効となる３Ｄメガネを用いるユーザに立体映像を見せることのできる立体映像表示装置が知られている（例えば、特許文献１参照）。
具体的に、ユーザは３Ｄメガネを掛けることで、左目映像が表示されているときは左目だけでその左目映像を観察し、右目映像が表示されているときは右目だけでその右目映像を観察することとなり、その表示映像を立体的に見ることができる。なお、３Ｄメガネにより左目及び右目の視界を交互に有効化及び無効化する手法としては、特許文献１にも開示されているように、例えば液晶シャッタにより光の透過及び遮蔽を切り替えることや光の透過及び散乱を切り替えること等が考えられる。また、液晶パネルにおける左目映像及び右目映像の表示位置のズレ量は、立体映像の飛び出しの程度などに応じて予め設定される。
【先行技術文献】
【特許文献】
【０００３】
【特許文献１】特開２０００−２７５５７５号公報
【発明の概要】
【発明が解決しようとする課題】
【０００４】
しかしながら、３Ｄメガネを用いて立体映像を視聴することのできる立体映像表示装置では、左目映像及び右目映像各々が少しずれた位置で重なって表示されるため、３Ｄメガネを用いないユーザにとってその表示映像は非常に見えづらいものである。
そのため、このような立体映像表示装置を多人数のユーザが同時に視聴する場合には、そのユーザの数に応じた３Ｄメガネを用意する必要があり、その３Ｄメガネの数が不足する場合には、３Ｄメガネを有さないユーザが見えづらい映像の視聴を強いられることとなるため、現実的には多人数による視聴が困難であった。
従って、本発明は上記事情に鑑みてなされたものであり、その目的とするところは、３Ｄメガネを用いて立体映像を視聴することのできる立体映像表示装置であって、３Ｄメガネを有さないユーザに対しては見えやすい平面映像を視聴させることが可能な立体映像表示装置及び立体映像表示システムを提供することにある。
【課題を解決するための手段】
【０００５】
上記目的を達成するために本発明は、液晶パネルから複数の方向に異なる映像を個別に表示するマルチビュー映像表示手段と、前記マルチビュー映像表示手段により少なくとも一つの方向に、表示位置が所定量異なる左目映像及び右目映像を交互に表示させる立体映像表示手段と、前記マルチビュー映像表示手段により少なくとも一つの方向に平面映像を表示させる平面映像表示手段とを備えてなることを特徴とする立体映像表示装置として構成される。
【０００６】
ここで、前記マルチビュー映像表示手段は、前記液晶パネルから二方向に異なる映像を表示する所謂デュアルビュー表示を行うものであることが考えられる。この場合、その二方向のうち一方に前記平面映像が表示され、他方に前記左目映像及び前記右目映像が交互に表示されることとなる。
【０００７】
本発明は、液晶パネルに対する複数の方向夫々に同一又は異なる映像を該液晶パネルに表示するマルチビュー映像表示手段と、前記マルチビュー映像表示手段が表示する少なくとも一つの方向の映像に対応する左目映像及び右目映像を前記液晶パネルの異なる位置に交互に表示する立体映像表示手段とを備えてなることを特徴とする。
【０００８】
本発明では、マルチビュー映像表示手段及び立体映像表示手段を備えている。マルチビュー映像表示手段は、液晶パネルに対して複数の方向に夫々同一又は異なる映像を液晶パネルに表示する手段であり、液晶パネルから複数の方向に射出される同一又は異なる映像を個別に液晶パネルに表示する手段でもある。立体映像表示手段は、液晶パネルに対する複数の方向のうち、少なくとも一つの方向に表示される映像について、左目映像と右目映像とを生成し、これらの映像を液晶パネルの異なる位置に表示する。
【０００９】
本発明は、前記立体映像表示手段は、前記マルチビュー映像表示手段が表示する一の方向の映像に対応する左目映像及び右目映像を所定量離れた位置に交互に表示し、該マルチビュー映像表示手段が表示する他の方向の映像に対応する左目映像及び右目映像を他の所定量離れた位置に交互に表示するものである。
【００１０】
本発明では、一の方向に表示される左目映像及び右目映像の間の距離と他の方向に表示される左目映像及び右目映像の間の距離とは異なる。
【００１１】
また、本発明は、液晶パネルから複数の方向に異なる映像を個別に表示するマルチビュー映像表示手段と、前記マルチビュー映像表示手段により少なくとも一つの方向に、表示位置が所定量異なる左目映像及び右目映像を交互に表示させる立体映像表示手段と、前記マルチビュー映像表示手段により少なくとも一つの方向に平面映像を表示させる平面映像表示手段と、前記立体映像表示手段による前記左目映像及び前記右目映像の表示に連動して左目及び右目の視界を交互に有効化させる立体表示メガネとを備えてなることを特徴とする立体映像表示システムとして捉えてもよい。
【００１２】
本発明によれば、前記左目映像及び前記右目映像の表示に連動して左目及び右目の視界が交互に有効となる立体表示メガネ（３Ｄメガネ）を用いるユーザは、前記立体映像表示手段によって前記液晶パネルから少なくとも一方向に向けて表示される前記左目映像及び前記右目映像を見ることにより表示映像を立体的に見ることができる。また、前記立体表示メガネを用いないユーザは、前記平面映像表示手段によって前記液晶パネルから少なくとも一方向に向けて表示される前記平面映像を見ることができる。従って、多人数による同時視聴が可能となる。
【００１３】
本発明は、液晶パネルに対する複数の方向夫々に同一又は異なる映像を該液晶パネルに表示するマルチビュー映像表示手段と、前記マルチビュー映像表示手段が表示する少なくとも一つの方向の映像に対応する左目映像及び右目映像を前記液晶パネルの異なる位置に交互に表示する立体映像表示手段と、前記立体映像表示手段による左目映像及び右目映像の表示に連動して左目及び右目の視界を交互に有効化させる立体表示メガネとを備えてなることを特徴とする。
【００１４】
本発明では、マルチビュー映像表示手段、立体映像表示手段及び立体表示メガネを備えている。マルチビュー映像表示手段は、液晶パネルに対して複数の方向に夫々同一又は異なる映像を液晶パネルに表示する手段であり、液晶パネルから複数の方向に射出される同一又は異なる映像を個別に液晶パネルに表示する手段でもある。立体映像表示手段は、液晶パネルに対する複数の方向のうち、少なくとも一つの方向に表示される映像について、左目映像と右目映像とを生成し、これらの映像を液晶パネルの異なる位置に表示する。立体表示メガネは、液晶パネルに左目映像及び右目映像が交互に表示される場合、各表示に連動して左目及び右目の視界を交互に有効化する。
【００１５】
本発明は、前記立体映像表示手段は、前記マルチビュー映像表示手段が表示する一の方向の映像に対応する左目映像及び右目映像を所定量離れた位置に交互に表示し、該マルチビュー映像表示手段が表示する他の方向の映像に対応する左目映像及び右目映像を他の所定量離れた位置に交互に表示するものである。
【００１６】
本発明では、一の方向に表示される左目映像及び右目映像の間の距離と他の方向に表示される左目映像及び右目映像の間の距離とは異なる。
【発明の効果】
【００１７】
本発明によれば、前記立体表示メガネを用いるユーザは、前記立体映像表示手段によって前記液晶パネルから少なくとも一方向に向けて表示される前記左目映像及び前記右目映像を見ることにより表示映像を立体的に見ることができ、前記立体表示メガネを用いないユーザは、前記平面映像表示手段によって前記液晶パネルから少なくとも一方向に向けて表示される前記平面映像を見ることができるため、多人数による同時視聴が可能となる。
【図面の簡単な説明】
【００１８】
【図１】本発明の実施形態に係るテレビジョン受像機Ｘの概略構成を表すブロック図。
【図２】本発明の実施形態に係るテレビジョン受像機Ｘに設けられた液晶表示部の概略構成を示す模式図。
【図３】本発明の実施形態に係るテレビジョン受像機Ｘにおけるデュアルビューモードを説明するための図。
【図４】本発明の実施形態に係るテレビジョン受像機Ｘで実行される動作モード制御処理の手順の一例を説明するためのフローチャート。
【図５】デュアルビューモードにおけるユーザから見た表示映像の一例を説明するための図。
【図６】動作モード制御処理の他の例を説明するためのフローチャート。
【図７】実施の形態２に係るテレビジョン受像機Ｘの概略構成を表すブロック図。
【図８】実施の形態２に係るリモコンの一例を説明するための図。
【図９】実施の形態２に係るデュアルビューモードにおけるユーザから見た表示映像の一例を説明するための図。
【図１０】動作モード制御処理の他の例を説明するためのフローチャート。
【発明を実施するための形態】
【００１９】
以下添付図面を参照しながら、本発明の実施の形態について説明し、本発明の理解に供する。尚、以下の実施の形態は、本発明を具体化した一例であって、本発明の技術的範囲を限定する性格のものではない。
【００２０】
実施の形態１
まず、図１に示すブロック図を用いて、本発明の実施の形態に係るテレビジョン受像機Ｘ（立体映像表示装置の一例）の概略構成について説明する。
図１に示すように、テレビジョン受像機Ｘは、複数のチューナ１ａ，１ｂと、外部入力部２と、映像切替回路３と、２つの映像処理回路４ａ，４ｂと、立体映像処理回路４ｃと、画面合成切替回路５と、ＬＣＤ制御回路６と、液晶表示部７と、制御回路８と、リモコンインターフェース（Ｉ／Ｆ）回路９と、リモコン９ａと、音声切替回路１０と、２つの音声処理回路１１ａ，１１ｂと、２つのアンプ１２ａ，１２ｂと、スピーカ１３と、音声外部出力部１４とを具備して構成されている。なお、テレビジョン受像機Ｘは、ここで説明する構成要素以外にも、一般的なテレビジョン受像機が有する構成要素を備えている。
また、ユーザは、テレビジョン受像機Ｘを用いて立体映像（３Ｄ映像）を視聴する際には、後述の３Ｄメガネ（立体表示メガネ）３０を使用する。ここに、テレビジョン受像機Ｘ及び３Ｄメガネ３０が本発明に係る立体映像表示システムの一例である。
【００２１】
制御回路８は、演算手段であるＭＰＵ８ａ、そのＭＰＵ８ａによって実行される制御プログラムが予め格納される記憶手段であるＲＯＭ８ｂ（ＥＰＲＯＭ）、ＭＰＵ８ａが実行する処理によって書き込まれる設定情報を記憶するメモリとして利用されるＥＥＰＲＯＭ８ｃなどを備え、当該テレビジョン受像機Ｘ全体を統括的に制御する。
リモコンインターフェース回路９は、当該テレビジョン受像機Ｘの操作用のリモコン９ａから、赤外線伝送等の無線伝送によって、リモコン９ａに対するユーザの操作入力の内容を取得し、その操作入力の内容を制御回路８に伝送するものである。例えば、リモコン９ａには、テレビジョン受像機Ｘで視聴するテレビジョン放送のチャンネル選択や音量調節、電源ＯＮ／ＯＦＦなどの各種操作を行う一般的な操作キー９ｂが設けられている。
【００２２】
チューナ１ａ，１ｂ各々は、地上デジタル放送やＢＳ・ＣＳ放送などの各種テレビジョン放送の複数チャンネル分の映像信号及びその映像と同期した音声信号が重畳された信号（以下、放送信号という）を放送受信アンテナ２０により受信する。そしてチューナ１ａ，１ｂは、制御回路８から指示された放送チャンネルの信号を前記放送信号から抽出（選局）するとともに、その抽出信号の検波によって映像信号及び音声信号を取り出し、その映像信号及び音声信号の各々を映像切替回路３及び音声切替回路１０各々へ伝送するものである。
また、外部入力部２は、外部からコンポジット方式の映像信号及び音声信号や、セパレート方式の映像信号及び音声信号（いわゆるＳ端子の信号）等の外部入力映像信号及び外部入力音声信号を入力し、それらを映像切替回路３及び音声切替回路１０各々へ伝送するインターフェースである。
【００２３】
音声切替回路１０は、チューナ１ａ，１ｂ各々からの音声信号及び外部入力部２からの音声信号を入力し、それらの音声信号のうちの任意の２つの音声信号（ステレオの場合は２組の音声信号）各々を、制御回路８からの指示に従って２つの音声処理回路１１ａ，１１ｂ各々に伝送するものである。ここで、制御回路８は、映像切替回路３から映像処理回路４ａへ伝送される映像信号に対応する音声信号が音声切替回路１０から音声処理回路１１ａへ伝送され、映像切替回路３から映像処理回路４ｂへ伝送される映像信号に対応する音声信号が音声切替回路１０から音声処理回路１１ｂへ伝送されるよう、映像切替回路３及び音声切替回路１０を制御する。
音声処理回路１１ａ，１１ｂは、制御回路８からの指示に従って、音声切替回路１０から伝送される音声信号に対して各種信号処理（例えば、イコライズ処理やサラウンド処理等）を行うものである。
アンプ１２ａ，１２ｂは、音声処理回路１１ａ，１１ｂ各々による各種信号処理後の音声信号を、制御回路８からの指示に従って増幅或いは減衰させる処理を行い、処理後の各音声信号をスピーカ１３及び音声外部出力部１４の各々へ伝送するものである。なお、音声外部出力部１４は、イヤホンやヘッドホンが接続される端子（インターフェース）である。
このように、テレビジョン受像機Ｘでは、映像処理回路４ａに入力される映像に対応する音声を出力するスピーカ１３と、映像処理回路４ｂに入力される映像に対応する音声を出力する音声外部出力部１４とを備えることにより、後述するデュアルビューモードにおいて、１台のテレビジョン受像機Ｘで複数の利用者が異なる２つのチャンネルの番組（外部入力部を通じて入力される信号に基づく映像及び音声を含む）を同時に視聴することができる。
【００２４】
一方、映像切替回路３は、チューナ１ａ，１ｂ各々から入力される映像信号及び外部入力部２から入力される映像信号のうち、任意の２つの映像信号を制御回路８からの指示に従って選択し、その選択した２つの映像信号を２つ映像処理回路４ａ，４ｂへ個別に伝送するものである。
映像処理回路４ａ，４ｂ各々は、映像切替回路３から伝送された映像信号各々に対して各種信号処理を行うものである。例えば、映像信号のＡ／Ｄ変換や、Ａ／Ｄ変換後の映像信号から水平及び垂直同期信号の分離、その同期信号に位相同期したクロック信号の生成、Ａ／Ｄ変換後の映像信号からの輝度信号及び色信号の分離、所定の画質改善処理等を行い、処理後の映像信号を画面合成切替回路５に向けて出力する。
以下、一方の映像処理回路４ａから伝送される映像信号に基づく映像を選択第１映像、他方の映像処理回路４ｂから伝送される映像信号に基づく映像を選択第２映像と称する。もちろん、前記選択第１映像及び前記選択第２映像は同じ映像であってもよい。
【００２５】
また、立体映像処理回路４ｃは、映像処理回路４ａと画面合成切替回路５との間に設けられており、制御回路８からの指示に従って、映像処理回路４ａから出力された前記選択第１映像をユーザに立体的に視聴させるための立体映像表示信号を生成し、該立体映像表示信号を画面合成切替回路５に出力する。ここに、前記立体映像表示信号は、後述の液晶パネル７１における表示位置が所定量異なる左目映像及び右目映像を交互に表示させるための映像信号である。
具体的に、立体映像処理回路４ｃは、前記選択第１映像の１フレームごとの画像を左右それぞれに少しずらした左目用画像及び右目用画像を生成し、その左目用画像及び右目用画像を１フレームの半分の時間ごとに交互に合成することにより、前記左目映像及び前記右目映像からなる立体映像表示信号を生成する。もちろん、左目用画像及び右目用画像を１フレーム又は複数フレームごとに交互に表示させるものであってもよい。なお、液晶パネル７１における前記左目映像及び前記右目映像の表示位置のズレ量は、立体映像の飛び出しの程度などに応じて予め設定される。
以下、このように立体映像処理回路４ｃから前記左目映像及び前記右目映像を交互に表示するための立体映像表示信号が出力されるときの表示動作モードを立体映像表示モード、前記選択第１映像がそのまま出力されるときの表示動作モードを平面映像表示モードという。
【００２６】
画面合成切替回路５は、二方向に異なる映像を個別に表示する後述のデュアルビューモードに対応したデュアルビュー映像信号と、一つの映像のみを表示する後述のシングル表示モードに対応したノーマル映像信号とのいずれかを、制御回路８からの指示に従って選択的に生成し、その映像信号をＬＣＤ制御回路６へ伝送するものである。
ここで、前記ノーマル映像信号は、通常の一般的な映像信号であり、映像処理回路４ａから入力される前記選択第１映像の信号を全ての画素を用いて液晶表示部７に表示させるための映像信号である。
一方、前記デュアルビュー映像信号は、全画素のうちの半分の画素（例えば、隣接する２画素の一方）が前記選択第１映像の表示用に割り振られると共に、残りの画素が前記選択第２映像の表示用に割り振られて編成された映像信号である。
なお、画面合成切替回路５は、その他、制御回路８から伝送される挿入情報を、出力する映像信号にスーパーインポーズする機能や、映像処理回路４ａ，４ｂからの出力映像に代えて、制御回路８から伝送されてくる情報を映像信号に変換して出力する機能も備えている。
そして、ＬＣＤ制御回路６は、画面合成切替回路５から入力された映像信号や垂直同期信号、水平同期信号などに基づいて液晶表示部７を制御することにより、該液晶表示部７に設けられた液晶パネル７１に該映像信号に基づく映像を表示させる。
【００２７】
ここで、図２を用いて、液晶表示部７について説明する。
図２に示すように、液晶表示部７は、液晶パネル７１及びバックライト７２などを備えており、画面合成切替回路５から出力される映像信号に基づいて液晶パネル７１に映像を表示するものである。
バックライト７２は、液晶パネル７１の背面側にマトリクス状に配置された多数のＬＥＤ７２ａにより該液晶パネル７１を背後から照明するものである。なお、ＬＥＤ７２ａに代えて冷陰極管（蛍光管）を用いてもよい。
一方、液晶パネル７１は、二枚の偏光板７１１と、透明電極層（不図示）及び配向膜（不図示）が形成された二枚のガラス基板７１２と、ガラス基板７１２の間に配置された液晶層７１３、カラーフィルタ層７１４、透過性アクリル樹脂層７１５及び視差バリア層７１６とを有している。
【００２８】
視差バリア層７１６には、バックライト７２からの光を透過させる透光部７１６ａ及びバックライト７２の光を遮蔽する遮光部７１６ｂが、液晶パネル７１の表示画面の横方向の一画素ごとに対応する位置に交互に形成されている。なお、透光部７１６ａは、透明ガラスや開口によって形成される。
ここで、液晶パネル７１では、視差バリア層７１６の投光部７１６ａ及び遮光部７１６ｂ各々と液晶層７１３に交互に配置された画素Ａ，Ｂ各々とが、液晶パネル７１の表示画面の横方向に所定量ずれた位置に設けられている。なお、このときのズレ量は、画素Ａから構成される映像と画素Ｂから構成される映像とを表示したい角度によって適宜定めておけばよい。
このように構成された液晶表示部７では、図２及び図３に示すように、液晶パネル７１から右斜め前方の位置Ｐ１で液晶パネル７１を見た場合には、液晶層７１３の画素Ｂで構成される左画面Ｍ１だけが見えて、画素Ａで構成される右画面Ｍ２は見えない。一方、液晶パネル７１から左斜め前方の位置Ｐ２で液晶パネル７１を見た場合には、液晶層７１３の画素Ａで構成される右画面Ｍ２だけが見えて、画素Ｂで構成される左画面Ｍ１は見えない。したがって、液晶表示部７は、一つの映像を左画面Ｍ１を使用して表示し、他の映像を右画面Ｍ２を用いて表示することにより、液晶パネル７１から異なる方向に二つの映像を個別に表示することができる。ここに、液晶表示部７がマルチビュー映像表示手段の一例である。
なお、画素Ａ，Ｂ各々に同じ映像信号を出力すれば、左画面Ｍ１、右画面Ｍ２各々により、視野角にかかわらず同じ映像を見せることができる。
以下、二つの映像を左画面Ｍ１、右画面Ｍ２各々に個別に表示させるときの画面動作モードをデュアルビューモード、一つの映像を左画面Ｍ１、右画面Ｍ２に共に表示させるときの画面動作モードをシングル表示モードという。
【００２９】
このように構成された前記テレビジョン受像機Ｘでは、制御回路８によって後述の動作モード制御処理（図４参照）が実行されることにより、液晶表示部７の液晶パネル７１への映像表示する際の動作モードが、前記デュアルビューモード、前記シングル表示モード、前記立体映像表示モード、前記平面映像表示モードなどに切り替えられる。
具体的に、テレビジョン受像機Ｘでは、リモコン９ａに、チャンネル選択キーや音量調節キー、メニューキー、電源キーなどの一般的な操作キー９ｂの他、前記デュアルビューモード及び前記シングル表示モードを切り替える画面切替キー９ｃと、前記デュアルビューモードにおける操作対象を前記選択第１映像（左映像）又は前記選択第２映像（右映像）に切り替える操作切替スイッチ９ｄと、前記立体映像表示モード及び前記平面映像表示モードを切り替える表示切替キー９ｅとが設けられている。
そして、制御回路８は、リモコン９ａの画面切替キー９ｃ、操作切替スイッチ９ｄ、表示切替キー９ｅの操作に応じて液晶表示部７の液晶パネル７１に映像を表示するときの動作モードを切り替える。もちろん、リモコン９ａの操作によって表示されるメニュー画面上の操作により各種の動作モードの切り替え操作が可能な構成であってもよい。
【００３０】
以下、図４のフローチャートに従って、テレビジョン受像機Ｘにおいて、制御回路８によって実行される動作モード制御処理について説明する。なお、図４中のＳ１，Ｓ２，…は処理手順（ステップ）番号を示している。
例えば、テレビジョン受像機Ｘでは、初期設定において、画面動作モードが前記シングル表示モード、表示動作モードが前記平面映像表示モードに設定される。この場合、当該動作モード制御処理の開始時、液晶表示部７の液晶パネル７１の全面には、前記選択第１映像がそのまま平面映像（２Ｄ映像）として表示される。
【００３１】
（ステップＳ１）
まず、ステップＳ１において、制御回路８は、リモコン９ａの画面切替キー９ｃの操作の有無を判断する。ここで、画面切替キー９ｃが操作されたと判断されると（Ｓ１のＹＥＳ側）、処理はステップＳ１１に移行する。一方、画面切替キー９ｃが操作されていないと判断されると（Ｓ１のＮＯ側）、処理はステップＳ２に移行する。
【００３２】
（ステップＳ１１）
画面切替キー９ｃが操作されると（Ｓ１のＹＥＳ側）、続くステップＳ１１において、制御回路８は、現在の画面動作モードが前記シングル表示モードであるか否かを判断する。具体的には、制御回路８が前記デュアルビューモードと前記シングル表示モードとのいずれであるかを示す情報としてＥＥＰＲＯＭ８ｃに設定する画面状態フラグの値に基づいて判断する。
ここで、現在の画面動作モードが前記シングル表示モードであると判断されると（Ｓ１１のＹＥＳ側）、処理はステップＳ１２に移行し、現在の画面動作モードが前記デュアルビューモードであると判断されると（Ｓ１１のＮＯ側）、処理はステップＳ１１１に移行する。
【００３３】
（ステップＳ１２）
ステップＳ１２では、制御回路８が、画面動作モードを前記シングル表示モードから前記デュアルビューモードに切り替えるための制御指令を、映像処理回路４ａ，４ｂ及び画面合成切替回路５に対して通知し、処理を前記ステップＳ１に戻す。
これにより、映像処理回路４ａ，４ｂ各々は、映像切替回路３から入力される前記選択第１映像、前記選択第２映像各々に対応する信号を画面合成切替回路５に向けて出力する。
一方、画面合成切替回路５は、映像処理回路４ａ，４ｂ各々から入力される前記選択第１映像及び前記選択第２映像に基づいて前記デュアルビュー映像信号を生成し、ＬＣＤ制御回路６に伝送する。これにより、ＬＣＤ制御回路６は、液晶表示部７の液晶パネル７１の画素Ａに前記選択第１映像の映像信号を出力し、液晶パネル７１の画素Ｂに前記選択第２映像の映像信号を出力することにより、液晶パネル７１から右斜め方向に前記選択第１映像を表示し、液晶パネル７１から左斜め方向に前記選択第２映像を表示させる。
その後、制御回路８は、操作切替スイッチ９ｄが左画面Ｍ１、右画面Ｍ２のいずれに設定されているかに応じて操作対象となる画面を左画面又は右画面に切り替え、リモコン９ａからの操作信号情報に基づいてチャンネル切替操作や音量調節操作などの各種の処理を実行する。
【００３４】
（ステップＳ１１１）
他方、ステップＳ１１１では、制御回路８が、画面動作モードを前記デュアルビューモードから前記シングル表示モードに切り替えるための制御指令を映像処理回路４ａ，４ｂ及び画面合成切替回路５に対して通知し、処理を前記ステップＳ１に戻す。
これにより、映像処理回路４ａだけが、映像切替回路３から入力される前記選択第１映像に対応する映像信号を画面合成切替回路５に向けて出力する。一方、画面合成切替回路５は、映像処理回路４ａから入力される前記選択第１映像の映像信号に基づいて前記ノーマル映像信号を生成し、ＬＣＤ制御回路６に伝送する。これにより、ＬＣＤ制御回路６は、前記選択第１映像の映像信号を液晶表示部７の液晶パネル７１の画素Ａ及び画素Ｂに共に出力することにより、前記選択第１映像を液晶パネル７１全体に表示させる。
【００３５】
（ステップＳ２）
また、画面切替キー９ｃが操作されない場合（Ｓ１のＮＯ側）、続くステップＳ２において、制御回路８は、リモコン９ａの表示切替キー９ｅの操作の有無を判断する。
ここで、表示切替キー９ｅが操作されたと判断されると（Ｓ２のＹＥＳ側）、処理はステップＳ３に移行する。一方、表示切替キー９ｅが操作されていないと判断されると（Ｓ２のＮＯ側）、処理は前記ステップＳ１に戻される。
【００３６】
（ステップＳ３）
そして、ステップＳ３では、制御回路８が、現在の表示動作モードが前記平面映像表示モードであるか否かを判断する。具体的には、制御回路８が前記立体映像表示モードと前記平面映像表示モードとのいずれであるかを示す情報としてＥＥＰＲＯＭ８ｃに設定する表示状態フラグの値に基づいて判断する。
ここで、現在の表示動作モードが前記立体映像表示モードであると判断されると（Ｓ３のＮＯ側）、処理はステップＳ４に移行し、現在の表示動作モードが前記平面表示モードであると判断されると（Ｓ３のＹＥＳ側）、処理はステップＳ５に移行する。
【００３７】
（ステップＳ４）
ステップＳ４において、制御回路８は、表示動作モードを前記立体映像表示モードから前記平面映像表示モードに切り替えるための制御指令を、立体映像処理回路４ｃ及びＬＣＤ制御回路６に対して通知し、処理を前記ステップＳ１に戻す。
これにより、立体映像処理回路４ｃは、前記立体映像表示信号を生成することなく、映像処理回路４ａから入力される前記選択第１映像に対応する映像信号をそのまま画面合成切替回路５に出力する。
従って、液晶表示部７の画面動作モードが前記シングル表示モードであれば、液晶パネル７１全体で前記選択第１映像の平面映像が表示され、前記デュアルビューモードであれば、液晶パネル７１の左画面Ｍ１、右画面Ｍ２それぞれに前記選択第１映像、前記選択第２映像が平面映像として表示されることとなる。
【００３８】
（ステップＳ５）
他方、ステップＳ５において、制御回路８は、表示動作モードを前記平面映像表示モードから前記立体映像表示モードに切り替えるための制御指令を、立体映像処理回路４ｃ及びＬＣＤ制御回路６に対して通知し、処理を前記ステップＳ１に戻す。
これにより、立体映像処理回路４ｃは、映像切替回路３から入力される前記選択第１映像に対応する映像信号に基づいて、該前記選択第１映像を立体的にユーザに視聴させるための前記立体映像表示信号を生成し、画面合成切替回路５に出力する。
一方、ＬＣＤ制御回路６は、画面合成切替回路５から入力される前記立体映像表示信号に基づいて、前記左目映像及び前記右目映像を交互に切り替えて液晶表示パネル７１に表示すると共に、前記左目映像及び前記右目映像の切替タイミングを同期信号として３Ｄメガネ３０に送信する。但し、前記切替タイミング（同期信号）は、ＬＣＤ制御回路６が送信するものに限らない。例えば、図１に二点鎖線で示すように、立体映像処理回路４ｃから前記左目映像及び前記右目映像の切替タイミングが入力され、該切替タイミングに応じて３Ｄメガネ３０に対して同期信号を送信する３Ｄ同期信号送信回路３１が別途設けられる構成も考えられる。なお、このときＬＣＤ制御回路６又は３Ｄ同期信号送信回路３１と３Ｄメガネ３０との間の同期信号の送受信は、赤外線などを用いる従来周知の通信手法によって行われればよいため、ここではその回路構成や通信方法については説明を省略する。もちろん、ＬＣＤ制御回路６や３Ｄ同期信号送信回路３１と３Ｄメガネ３０とが電源ラインや信号ラインで有線接続されている構成も考えられ、この場合にはその信号ラインを通じて同期信号を送信すればよい。
ここに、液晶表示部７により液晶パネル７１から右斜め方向に立体映像を表示させるときの制御回路８、立体映像処理回路４ｃ及びＬＣＤ制御回路６が立体映像表示手段の一例である。
【００３９】
そして、３Ｄメガネ３０は、前記左目映像及び前記右目映像の切替タイミング（同期信号）に連動（同期）して、左目シャッタ及び右目シャッタを交互に有効化させることにより、ユーザに対して左目映像及び右目映像を左目及び右目で交互に観察させる。従って、３Ｄメガネ３０を使用するユーザは、液晶パネル７１に表示される前記選択第１映像を立体的に見ることができる。
なお、３Ｄメガネ３０は、例えば左目及び右目各々に対応する視野における光の透過及び遮蔽（又は散乱）を切り替えるための液晶層を有するものなど、従来周知の３Ｄメガネであってよい。この場合、３Ｄメガネ３０は、前記切替タイミングに合わせて液晶層への印加電圧を制御し、左目及び右目の視界の有効及び無効を交互に切り替える。これにより、３Ｄメガネを掛けたユーザは、左目映像が表示されているときは左目で左目映像を観察し、右目映像が表示されているときは右目で右目映像を観察することで、表示映像を立体映像として見ることができる。
ここで、液晶表示部７の画面動作モードが前記シングル表示モードであれば、液晶パネル７１全体で前記選択第１映像の立体映像が表示されることになるが、前記デュアルビューモードであれば、液晶パネル７１から右斜め方向に前記選択第１映像が立体映像として表示され、液晶パネル７１から左斜め方向には前記選択第２映像が平面映像として表示されることとなる。
ここに、液晶表示部７により液晶パネル７１から左斜め方向に平面映像を表示させるときの制御回路８、立体映像処理回路４ｃ及びＬＣＤ制御回路６が平面映像表示手段の一例である。
【００４０】
ここで、図５を参照しつつ、画面動作モードが前記デュアルビューモードである場合の表示例について説明する。
図５Ａに模式的に示すように、前記デュアルビューモードにおいて、前記ステップＳ５により前記立体映像表示モードに切り替えられると、ＬＣＤ制御回路６は、前記選択第１映像に対応する前記立体映像表示信号に基づいて、液晶パネル７１の左画面Ｍ１に前記左目映像及び前記右目映像を交互に表示し、他方、液晶パネル７１の右画面Ｍ２には前記選択第２映像に対応する映像信号に基づいて平面映像を表示する。
このとき、３Ｄメガネ３０を使用するユーザが、液晶パネル７１から見て右側の位置から該液晶パネル７１の表示映像を見ると、図５Ｂ、図５Ｃに示すように、前記左目映像及び前記右目映像の表示に連動して３Ｄメガネ３０の左目シャッタ及び右目シャッタが動作することにより、左目で左目映像が見える状態と右目で右目映像が見える状態とが交互に繰り返されることになる。これにより、３Ｄメガネ３０を掛けたユーザは、液晶パネル７１により前記選択第１映像を立体的に見ることができる。
これに対し、前記デュアルビューモードにおいて、３Ｄメガネ３０を有さないユーザが、液晶パネル７１から見て左側の位置から該液晶パネル７１を見ると、図５Ｄに示すように、前記選択第２映像の表示位置が変化しないため、該選択第２映像を綺麗な平面映像として見ることができる。
【００４１】
以上説明したように、テレビジョン受像機Ｘでは、３Ｄメガネ３０を用いるユーザは、立体映像処理回路４ｃから出力される前記立体映像表示信号に基づいて液晶パネル７１から右斜め方向に向けて交互に表示される前記左目映像及び前記右目映像を見ることにより表示映像を立体的に見ることができ、３Ｄメガネ３０を用いないユーザは、映像処理回路４ｂから出力される前記平面映像表示信号に基づいて液晶パネル７１から左斜め方向に向けて表示される通常の平面映像を見ることができる。そのため、３Ｄメガネ３０を有さないユーザに前記右目映像及び前記左目映像が重なった見えづらい映像の視聴が強いられることがなく、テレビジョン受像機Ｘを多人数で同時に視聴することが可能となる。
【００４２】
なお、本実施の形態では、左斜め及び右斜めの二方向に異なる映像を表示するデュアルビュー表示を行う場合を例に挙げて説明したが、例えば左斜め、正面、右斜めの三方向に異なる映像を表示するマルチビュー表示を行う構成であってもよい。この場合、その三方向のうち一つだけを立体映像表示に用いて他の二つを平面映像表示に用いることや、一つだけを平面映像表示に用いて他の二つを立体映像表示に用いることが可能である。
また、本実施の形態では、液晶表示部７の液晶パネル７１に設けられた視差バリア層７１６が固定の透光部７１６ａ及び遮光部７１６ｂを有する構成について説明したが、視差バリア層７１６が透光部７１６ａ及び遮光部７１６ｂに対応する位置について、光の透光及び遮光を切り替えることのできる液晶層であることも他の実施例として考えられる。この場合、前記デュアルビューモードでは、視差バリアを有効として遮光部７１６ｂに対応する位置で光を遮蔽し、前記シングル表示モードでは、視差バリアを無効として遮光部７１６ｂに対応する位置で光を透光させればよい。
【実施例】
【００４３】
ところで、前記実施の形態では、映像処理回路４ａと画面合成切替回路５との間のみに立体映像処理回路４ｃが設けられている構成を例に挙げて説明した。
一方、映像処理回路４ｂと画面合成切替回路５との間にも、立体映像処理回路４ｃと同様の立体映像処理回路４ｄ（不図示）が設けられる構成が他の実施例として考えられる。
これにより、前記選択第１映像のみならず前記選択第２映像についても前記立体映像表示モードと前記平面映像表示モードとの切り替えを行うことができる。
この場合、図６に示すように、制御回路８が、前記実施の形態で説明した前記動作モード制御処理（図４のフローチャート参照）に加えて下記のステップＳ２１〜Ｓ２２の処理を実行することが考えられる。
【００４４】
具体的に、図６に示すように、前記ステップＳ２により表示切替キー９ｅが操作されたと判断されると（Ｓ２のＹＥＳ側）、続くステップＳ２１において、制御回路８は、現在の画面動作モードが前記デュアルビューモードであるか否かを判断する。
ここで、現在の画面動作モードが前記シングル表示モードであると判断されると（Ｓ２１のＮＯ側）、処理は前記ステップＳ３に移行し、現在の画面動作モードが前記デュアルビューモードであると判断されると（Ｓ２１のＹＥＳ側）、処理はステップＳ２２に移行する。
ステップＳ２２では、制御回路８は、リモコン９ａの操作切替スイッチ９ｄが左画面及び右画面のいずれに設定されているかにより、表示切替キー９ｅの操作が左画面及び右画面のいずれについて行われた操作であるかを特定する。これにより、その後、ステップＳ３〜Ｓ５では、ここで特定された画面のみについて動作モードが制御されることとなる。
従って、当該構成によれば、液晶表示部７の液晶パネル７１の左画面Ｍ１及び右画面Ｍ２のそれぞれの表示動作モードを、前記立体映像表示モードと前記平面映像表示モードとの間で自由に切り替えることができる。
【００４５】
実施の形態２
実施の形態２は、選択第１映像及び選択第２映像がどちらも立体映像である形態に関する。また、実施の形態２は、選択第１映像及び選択第２映像が同じ立体映像又は異なる立体映像であり、かつ選択第１映像及び選択第２映像が異なる飛び出しの程度を有する立体映像である形態に関する。以下では、立体映像の飛び出しの程度を深度と呼ぶ。深度が大きい（深い）場合、立体映像の飛び出しの程度は大きく、深度が小さい（浅い）場合、立体映像の飛び出しの程度は小さい。
【００４６】
図７は、実施の形態２に係るテレビジョン受像機Ｘの概略構成を表すブロック図である。
立体映像処理回路４ｃは、制御回路８からの指示に従って、選択第１映像をユーザに立体的に視聴させるための立体映像表示信号を生成し、該立体映像表示信号を画面合成切替回路５に出力する。ここに、立体映像表示信号は、液晶パネル７１における左目映像及び右目映像の表示位置が制御回路８からの指示に応じた量だけ異なる映像信号である。
【００４７】
実施の形態２に係るテレビジョン受像機Ｘは、さらに立体映像処理回路４ｄを含む。立体映像処理回路４ｄは、映像処理回路４ｂと画面合成切替回路５との間に設けられている。立体映像処理回路４ｄは、制御回路８からの指示に従って、選択第２映像をユーザに立体的に視聴させるための立体映像表示信号を生成し、該立体映像表示信号を画面合成切替回路５に出力する。
【００４８】
具体的に、立体映像処理回路４ｃは、選択第１映像の１フレームごとの画像を左右にそれぞれ制御回路８から指示された量だけずらした左目用画像及び右目用画像を生成する。立体映像処理回路４ｃは、その左目用画像及び右目用画像を１フレームの半分の時間ごとに交互に合成することにより、左目映像及び右目映像からなる立体映像表示信号を生成する。
同様に、立体映像処理回路４ｄは選択第２映像の１フレームごとの画像を左右にそれぞれ制御回路８から指示された量だけずらした左目用画像及び右目用画像を生成する。立体映像処理回路４ｃは、左目映像及び右目映像からなる選択第２映像の立体映像表示信号を生成する。
なお、制御回路８が立体映像処理回路４ｃ、４ｄに指示する左目用画像及び右目用画像の表示位置のズレ量（所定量）は、予めＲＯＭ８ｂ又はＥＥＰＲＯＭ８ｃに記憶されている。このズレ量は複数であり、リモコン信号受信回路９が受信する複数の信号と関連付けて、記憶されている。
【００４９】
制御回路８は、リモコン９ａからの信号に基づき、表示動作モードを平面映像表示モードから立体映像表示モードに切り替えるための制御指令を、立体映像処理回路４ｃ，４ｄ及びＬＣＤ制御回路６に対して通知する。
画像合成切替回路５は、立体映像処理回路４ｃ，４ｄからそれぞれ選択第１映像又は選択第２映像の立体映像信号を受け付け、該立体映像信号をＬＣＤ制御回路６に出力する。ＬＣＤ制御回路６は、画像合成切替回路５から入力された選択第１映像又は選択第２映像の立体映像信号に基づいて、それぞれの左目映像及び右目映像を液晶表示パネル７１に表示する。
【００５０】
実施の形態２に係る立体映像表示システムは、３Ｄメガネ３０ａ，３０ｂを含む。３Ｄメガネ３０ａは、例えば左画面Ｍ１に表示される選択第１映像の立体映像を見るためのメガネである。３Ｄメガネ３０ｂは、例えば右画面Ｍ２に表示される選択第２映像の立体映像を見るためのメガネである。
ＬＣＤ制御回路６は、選択第１映像又は選択第２映像の立体映像信号に基づいて、それぞれの左目映像及び右目映像の切替タイミングを同期信号として３Ｄメガネ３０ａ，３０ｂに送信する。
３Ｄメガネ３０ａ，３０ｂは、それぞれ選択第１映像、選択第２映像に係る左目映像及び右目映像の切替タイミング（同期信号）に連動（同期）して、左目シャッタ及び右目シャッタを交互に有効化させる。
【００５１】
図８は、実施の形態２に係るリモコン９ａの一例を説明するための図である。リモコン９ａは、各種キー９ｂ、９ｃ、９ｅ及び操作切替スイッチ９ｄの他に、３Ｄ深度キー９ｆを含む。３Ｄ深度キー９ｆは、左画面Ｍ１又は右画面Ｍ２に表示される立体映像の飛び出しの程度を切り替えるためのボタンである。
表示切替キー９ｅにより左画面Ｍ１又は右画面Ｍ２に対して立体映像表示モードが選択されている場合、３Ｄ深度キー９ｆを押下するたびに、左画面Ｍ１又は右画面Ｍ２に表示される立体映像の飛び出しの程度が切り替わる。つまり、深度大モードと深度小モードとの間で深度モードが切り替わる。画面切替キー９ｃによりディアルビューモードが選択されている場合、操作切替スイッチ９ｄ及び表示切替キー９ｅを操作することにより、左画面Ｍ１及び右画面Ｍ２の両画面に立体映像が表示される。また、操作キー９ｂを操作することにより、左画面Ｍ１及び右画面Ｍ２の両画面に同一チャンネルの立体映像を表示することもできるし、異なるチャンネルの立体映像を表示することもできる。さらに、左画面Ｍ１及び右画面Ｍ２の両画面に同一又は異なる番組の立体映像が表示されている場合、３Ｄ深度キー９ｆを操作することにより、左画面Ｍ１及び右画面Ｍ２に深度が異なる立体映像を表示することができる。
【００５２】
図９は、実施の形態２に係るデュアルビューモードにおけるユーザから見た表示映像の一例を説明するための図である。
ディアルビューモードが選択され、かつ左画面Ｍ１及び右画面Ｍ２の両画面において立体映像表示モードが選択された場合、液晶パネル７１の異なる二方向のどちらにも立体映像が表示される。テレビジョン受像機Ｘは、例えばリモコン９ａからのチャンネル選択により、左画面Ｍ１及び右画面Ｍ２に同じ立体映像を表示することもできるし、異なる立体映像を表示することもできる。図９Ａは、左画面Ｍ１及び右画面Ｍ２に同じ立体映像が表示される例を示している。
図９Ｂ、図９Ｃ、図９Ｄ、図９Ｅに示すように、左目映像及び右目映像の表示に連動して、３Ｄメガネ３０ａ，３０ｂの左目シャッタ及び右目シャッタが動作することにより左右の目で見える状態が交互に変化する。このことは、左画面Ｍ１及び右画面Ｍ２の両画面において同じである。
【００５３】
図９Ａは、３Ｄ深度キー９ｆの操作により、左画面Ｍ１及び右画面Ｍ２に深さの異なる立体映像が表示される例を示している。例えば、右画面Ｍ２における左目映像及び右目映像の表示位置のズレ量は、左画面Ｍ１における左目映像及び右目映像の表示位置のズレ量より大きい。
【００５４】
図１０は、動作モード制御処理の他の例を説明するためのフローチャートである。以下、制御回路８によって実行される動作モード制御処理について説明する。テレビジョン受像機Ｘでは、初期設定において、例えば画面動作モードは深度大モードに設定される。なお、図１０は図６のステップＳ５からリターンまでの間に追加される処理を示している。
【００５５】
（ステップＳ６）
制御回路８は、３Ｄ深度キー９ｆの操作の有無を判断する。ここで、制御回路８は、３Ｄ深度キー９ｆが操作されていないと判断した場合（Ｓ６のＮＯ側）、処理をステップＳ１に戻す。制御回路８は、３Ｄ深度キー９ｆが操作されたと判断した場合（Ｓ６のＹＥＳ側）、処理をステップＳ６１に移行する。
【００５６】
（ステップＳ６１）
制御回路８は、現在の画面動作モードが深度大モードであるか否かを判断する。制御回路８は、現在の画面動作モードが深度大モードであると判断した場合（ステップＳ６１のＹＥＳ側）、処理をステップＳ６２に移行する。制御回路８は、現在の画面動作モードが深度大モードでないと判断した場合（ステップＳ６１のＮＯ側）、処理をステップＳ６１１に移行する。
【００５７】
（ステップＳ６２）
制御回路８は、画面動作モードを深度大モードから深度小モードに切り替えるための制御指令を立体映像処理回路４ｃ，４ｄ及び画面合成切替回路５に対して通知し、処理をステップＳ１に戻す。
【００５８】
（ステップＳ６１１）
制御回路８は、画面動作モードを深度小モードから深度大モードに切り替えるための制御指令を立体映像処理回路４ｃ，４ｄ及び画面合成切替回路５に対して通知し、処理をステップＳ１に戻す。
【００５９】
テレビジョン受像機Ｘによれば、左斜め及び右斜めの二方向に同じ立体映像又は異なる立体映像を表示することができる。また、テレビジョン受像機Ｘは、左斜め及び右斜めの二方向に飛び出しの程度が異なる立体映像を表示することができる。
立体映像は、左右の目に映る映像の差から立体であるかのように表示するものであるから、ユーザの目への負担が大きい。例えば、子供や老人の場合、立体映像の飛び出し量が小さいことが好ましいとされている。ユーザに子供、老人及びこれら以外の年代の人が混在している場合、画面に対して左右の異なる方向の間で立体映像の飛び出し量を変えることにより、幅広い年代のユーザが同時に同一のテレビジョン受像機Ｘを用いて立体映像を楽しむことができる。迫力のある立体映像を見たい人と、ほどほどの迫力で立体映像を見たい人とがそれぞれテレビジョン受像機Ｘの画面を異なる方向から見ることにより、どちらの人にとっても表示される立体映像は満足のいく映像となる。また、一人でテレビジョン受像機Ｘを見る場合は、シングルビューモードを選択し、複数人でテレビジョン受像機Ｘを見る場合は、デュアルビューモードを選択することができる。つまり、状況に応じて画面動作モードを切り替えることができるため、テレビジョン受像機Ｘは高い操作性を備えている。
【００６０】
リモコン９ａの３Ｄ深度キー９ｆは、深度大モードと深度小モードとを選択することができる。しかし、テレビジョン受像機Ｘは、左画面Ｍ１及び右画面Ｍ２に関連付けて予め決められた異なる深度モードの立体映像を表示してもよい。例えば、テレビジョン受像機Ｘは、左画面Ｍ１に深度大モードの立体映像を、右画面Ｍ２に深度小モードの立体映像を表示する。
なお、制御回路８が立体映像処理回路４ｃ，４ｄに指示する深度大モード及び深度小モードに対応する左目映像及び右目映像の表示位置のズレ量は、予めＲＯＭ８ｂ又はＥＥＰＲＯＭ８ｃに記憶されている。
【００６１】
テレビジョン受像機Ｘは、表示する立体映像の深度を連続的に変更してもよい。そのために、リモコン９ａに３Ｄ深度キー９ｆの代わりにスライダを設け、スライダのつまみの位置により細かく深度を設定することができるようにする。制御回路８は、当該スライダからの信号に基づいて、立体映像処理回路４ｃ，４ｄに指示された量だけずらした左目用画像及び右目用画像を生成するように指令する。
あるいは、立体映像の深度をより細かく示すインジケータをテレビジョン受像機Ｘの画面に表示してもよい。かかる場合、音量調節ボタンのように深度を大きくするボタン及び深度を小さくするボタンをリモコン９ａに設ける。
テレビジョン受像機Ｘに立体映像の深度をより細かく設定することができる上記機能を付けることにより、ユーザは立体映像に係る飛び出しの程度を任意の程度に調整することができる。
【００６２】
実施の形態２は以上の如きであり、その他は実施の形態１と同様であるので、対応する部分には同一の参照番号を付してその詳細な説明を省略する。
【産業上の利用可能性】
【００６３】
本発明は、液晶テレビジョン受像機や液晶ディスプレイ装置などの液晶表示装置への利用が可能である。
【符号の説明】
【００６４】
Ｘ：テレビジョン受像機（立体映像表示装置の一例）
１ａ，１ｂ：チューナ
２：外部入力部
３：映像切替回路
４ａ：映像処理回路
４ｂ：映像処理回路
４ｃ：立体映像処理回路
４ｄ：立体映像処理回路
５：画面合成切替回路
６：ＬＣＤ制御回路
７：液晶表示部
７１：液晶パネル
７２：バックライト
８：制御回路
８ａ：ＭＰＵ
８ｂ：ＲＯＭ
８ｃ：ＥＥＰＲＯＭ
９：リモコン信号受信回路
９ａ：リモコン
９ｂ：操作キー
９ｃ：画面切替キー
９ｄ：操作切替スイッチ
９ｅ：表示切替キー
９ｆ：深度切替キー
１０：音声切替回路
１１ａ，１１ｂ：音声処理回路
１２ａ，１２ｂ：アンプ
１３：スピーカ
１４：音声外部出力部
２０：放送受信アンテナ
３０，３０ａ，３０ｂ：３Ｄメガネ（立体表示メガネ）
Ｓ１，Ｓ２，…Ｓ６：処理手順（ステップ）番号
【図１】
2011229134.tif 000003
【図２】
2011229134.tif 000004
【図３】
2011229134.tif 000005
【図４】
2011229134.tif 000006
【図５】
2011229134.tif 000007
【図６】
2011229134.tif 000008
【図７】
2011229134.tif 000009
【図８】
2011229134.tif 000010
【図９】
2011229134.tif 000011
【図１０】
2011229134.tif 000012